(57)【特許請求の範囲】
【請求項１】
現在地から目的地までの経由可能地を表示する情報提供装置において、
自車両のエネルギー残量情報を取得する残量情報取得手段と、
前記自車両の現在地に関する情報である現在地情報及び当該自車両が向かう目的地に関する情報である目的地情報、並びに前記目的地に向かう途中の経由地に関する情報である経由地情報を取得する位置情報取得手段と、
前記残量情報取得手段によって取得されたエネルギー残量情報に基づいて、自車両の走行可能距離を算出する走行可能距離算出手段と、
前記位置情報取得手段によって取得された現在地情報、目的地情報及び経由地情報、並びに、前記走行可能距離算出手段によって算出された前記走行可能距離に基づいて、自車両のエネルギー残量で経由可能な場所である経由可能地に関する情報を取得し、取得した当該経由可能地に関する情報に基づいて、全ての前記経由可能地が含まれるように、外側に位置する前記経由可能地を線で結ぶことで走行可能範囲を取得する走行可能範囲取得手段と、
前記走行可能範囲取得手段によって取得された前記走行可能範囲を表示する表示手段と、
を備え、
前記経由地はエネルギー補給地であり、
前記表示手段は、前記経由地を通過する前の走行可能範囲と前記経由地を通過した後の走行可能範囲とを色分けて表示することを特徴とする情報提供装置。
【請求項２】
前記走行可能距離算出手段は、前記現在地と当該経由地との間の走行で所定のエネルギーを消費するような走行可能距離を算出することを特徴とする請求項１に記載の情報提供装置。
【発明の詳細な説明】
【技術分野】
【０００１】
本発明は、情報提供装置に関する。
【背景技術】
【０００２】
自車両のエネルギー残量を考慮して、現在地から目的地までの走行可能範囲をユーザに提供する情報提供装置としては、例えば、特許文献１に記載されているようなものが挙げられる。特許文献１には、現在のエネルギー残量に対応する航続距離に応じた走行可能範囲とこれに含まれる経路に関する経路情報をユーザに提示する情報提示装置が開示されている。
【０００３】
また、特許文献２には、所定の地形による道路を走行する時のバッテリの電力消費量から車両の走行可能距離にもとづいて、自車両の現在位置から見た走行可能範囲を道路地図上に表示する手段をとるようにした電気自動車用表示装置が開示されている。
【先行技術文献】
【特許文献】
【０００４】
【特許文献１】特開２００３−２１５２２号公報
【特許文献２】特開平７−８５３９７号公報
【発明の概要】
【発明が解決しようとする課題】
【０００５】
ところで、特許文献１の情報提示装置において、現在のエネルギー残量に対応する航続距離に応じた走行可能範囲を表示させると、現在地と目的地とを囲んだような走行可能範囲が表示される。すなわち、走行可能範囲が現在地と目的地に引っ張られ、現在地と目的地の間の地点での膨らみが大きくなった形状となる。また、例えば、特許文献１の情報提示装置において、特許文献２に開示されているように、所定の地形による道路を走行する時のバッテリの電力消費量から自車両の走行可能距離を考慮して走行可能範囲を表示することも考えられる。しかし、この場合でも、走行可能範囲は現在地と目的地の間の地点での膨らみが大きくなった形状となる。
【０００６】
現在地から目的地に向かうにあたり、目的地を基準として現在地よりも戻る方向や現在地を基準として目的地を行き過ぎる方向の道を経由すると、自車両のエネルギーを余分に消費する。特許文献１の情報提供装置が表示する走行可能範囲が現在地と目的地の間の地点での膨らみが大きくなった形状となるのは、現在地よりも戻る方向や目的地を行き過ぎる方向については現在地や目的地から大きく外れないように走行可能範囲が表示されるからである。よって、ユーザは現在地や目的地から大きく外れる場所を自由に経由しながら目的地に向かう場合には、目的地まで走行可能であるかを把握できなかった。
【０００７】
そこで、本発明は、ユーザが現在地や目的地から大きく外れる場所を自由に経由することを考慮した走行可能範囲を表示することが可能な情報提供装置を提供することを目的とする。
【課題を解決するための手段】
【０００８】
上記課題の解決のため、本発明は、現在地から目的地までの走行可能範囲を表示する情報提供装置において、自車両のエネルギー残量情報を取得する残量情報取得手段と、自車両の現在地に関する情報である現在地情報及び当該自車両が向かう目的地に関する情報である目的地情報を取得する位置情報取得手段と、残量情報取得手段によって取得されたエネルギー残量情報に基づいて、自車両の走行可能距離を算出する走行可能距離算出手段と、位置情報取得手段によって取得された現在地情報及び目的地情報、並びに、走行可能距離算出手段によって算出された走行可能距離に基づいて、自車両のエネルギー残量で経由可能な場所である経由可能地に関する情報を取得し、取得した当該経由可能地に関する情報に基づいて走行可能範囲を取得する走行可能範囲取得手段と、走行可能範囲取得手段によって取得された走行可能範囲を表示する表示手段と、を備えることを特徴とする。
【０００９】
この情報提供装置は、自車両のエネルギー残量で経由可能な場所である経由可能地に関する情報を取得し、取得した当該経由可能地に関する情報に基づいて走行可能範囲を取得する。このため、走行可能範囲は、現在地と目的地とを単に結んだような形状ではなく、現在地及び目的地の周囲にある程度広がった形状となる。よって、ユーザは、現在地や目的地から大きく外れる場所を自由に経由しながら目的地に向かう場合であっても、目的地まで走行可能であるかについて、煩雑な計算することなく一目で把握することができる。
【００１０】
位置情報取得手段は、目的地に向かう途中の経由地に関する情報である経由地情報を更に取得し、走行可能範囲取得手段は、位置情報取得手段によって取得された現在地情報、目的地情報及び経由地情報、並びに、走行可能距離算出手段によって算出された走行可能距離に基づいて、自車両のエネルギー残量で経由可能な場所である経由可能地に関する情報を取得し、取得した当該経由可能地に関する情報に基づいて走行可能範囲を取得することが好ましい。この場合、ユーザが実際に経由する経由地の周囲に広がって走行可能範囲が表示されるので、ユーザが実際に経由する可能性の高い場所を経由して目的地まで走行可能であるかについて、煩雑な計算することなく一目で把握することができる。
【００１１】
表示手段は、経由地を通過する前の走行可能範囲と経由地を通過した後の走行可能範囲とを色分けて表示することが好ましい。この場合、ユーザは経由地の通過前後のどちらの走行可能範囲であるかを識別できる。
【００１２】
経由地がエネルギー補給地である場合、走行可能距離算出手段は、現在地と当該経由地との間の走行で所定のエネルギーを消費するような走行可能距離を算出することが好ましい。この場合、現在地から最終の目的地までの走行で全エネルギーを消費するような走行可能距離を取得した際と比較して、現在地とエネルギー補給地との間の走行可能範囲を柔軟に変えることができる。
【発明の効果】
【００１３】
本発明に係る情報提供装置によれば、ユーザが現在地や目的地から大きく外れる場所を自由に経由することを考慮した走行可能範囲を表示することが可能である。
【図面の簡単な説明】
【００１４】
【図１】本実施形態に係る情報提供装置を示すブロック図である。
【図２】本実施形態に係る情報提供装置の動作を示すフローチャートである。
【図３】第１実施形態に係る情報提供装置によって表示される走行可能範囲の表示例である。
【図４】第２実施形態に係る情報提供装置によって表示される走行可能範囲の表示例である。
【図５】第２実施形態に係る情報提供装置によって表示される走行可能範囲の別の表示例である。
【発明を実施するための形態】
【００１５】
以下、添付図面を参照しながら、本発明に係る情報提供装置の好適な実施形態について詳細に説明する。なお、図面の説明においては同一要素には、同一符号を付し、重複する説明を省略する。
【００１６】
（第１実施形態）
図１は、第１実施形態に係る情報提供装置１０のブロック構成図である。情報提供装置１０は、現在地から目的地までの走行可能範囲を表示する情報提供機能を備えた車両に好適に採用されるものである。情報提供装置１０は、ユーザの操作によって現在地から目的地までの走行可能範囲の表示が要求される度に、現在地から目的地までの走行可能範囲を表示する。
【００１７】
図１に示すように、情報提供装置１０は、情報提供ＥＣＵ（Electronic  Control  Unit）１を備えている。情報提供ＥＣＵ１は、電子制御する自動車デバイスのコンピュータである。情報提供ＥＣＵ１には、自車両情報センサ２、残量エネルギーセンサ３、ＧＰＳ（Global  Positioning  System）装置４、及び入力装置５がそれぞれ接続されている。また、情報提供ＥＣＵ１には、表示装置６が接続されている。
【００１８】
自車両情報センサ２は、走行距離などの自車両情報を検出する機能を有している。自車両情報センサ２は、検出した自車両情報を情報提供ＥＣＵ１へ出力する。自車両情報センサ２として、車輪の回転速度を検出する車輪速センサなどの車速センサを用いることができる。
【００１９】
残量エネルギーセンサ３は、自車両のエネルギー残量情報を検出する機能を有している。残量エネルギーセンサ３は、検出したエネルギー残量情報を情報提供ＥＣＵ１へ出力する。残量エネルギーセンサ３として、例えば、自車両の燃料タンク内に設置された残量エネルギー検出センサなどを用いることができる。エネルギー残量情報は、エネルギーの残量がＬなどの単位で表示される。
【００２０】
ＧＰＳ装置４は、ＧＰＳ衛星から送信されたＧＰＳ信号等を利用して自車両の現在の位置情報を取得する機能を有している。ＧＰＳ装置４は、取得した自車両の位置情報を情報提供ＥＣＵ１へ出力する。
【００２１】
入力装置５は、ユーザからの目的地情報の入力や走行可能範囲の表示の要求を受け付ける機能を有している。入力装置５として、後述する表示装置６上に設けられたタッチパネルを用いることができる。入力装置５は、受け付けた目的地情報や走行可能範囲の表示の要求を情報提供ＥＣＵ１へ出力する。
【００２２】
情報提供ＥＣＵ１は、ＣＰＵ（Central Processing Unit）、ＲＯＭ（Read OnlyMemory）、ＲＡＭ（Random Access Memory）、及び入出力インターフェイスを有している。また、図１に示すように、情報提供ＥＣＵ１は、消費情報記憶部１１と、残量情報取得部１２と、位置情報取得部１３と、走行可能距離算出部１４と、走行可能範囲取得部１５と、を備えている。
【００２３】
消費情報記憶部１１は、自車両のエネルギー消費情報を記憶する機能を有している。エネルギー消費情報とは、エネルギーの単位容量あたりの走行距離（ｋｍ／Ｌ）についての情報であり、エネルギーとは、ガソリンや軽油、電気などの自車両の動力源となりうるエネルギーを含む。エネルギーの単位容量あたりの走行距離は、予め自車両ごとにある程度決まっているが、自車両情報センサ２から自車両の過去の走行距離に関する情報を取得し、自車両の過去の走行距離をそのエネルギー消費量で割ることで算出することもできる。消費情報記憶部１１は、走行可能距離算出部１４からの要求に応じて記憶しているエネルギー消費情報を走行可能距離算出部１４に出力する。
【００２４】
また、消費情報記憶部１１は、自車両の現在位置周辺の地図を表示装置６に表示するために道路情報を含む地図情報データベースを保持している。消費情報記憶部１１は、走行可能範囲取得部１５からの要求に応じて記憶している地図情報データベースに含まれる地図情報を走行可能範囲取得部１５に出力する。
【００２５】
残量情報取得部１２は、自車両のエネルギー残量情報を取得する機能を有している。残量情報取得部１２は、残量エネルギーセンサ３からエネルギー残量情報を取得し、取得したエネルギー残量情報を走行可能距離算出部１４に出力する。
【００２６】
位置情報取得部１３は、現在地情報及び目的地情報を取得する機能を有している。現在地情報とは、自車両の現在地に関する情報であり、ＧＰＳ装置４から取得される。目的地情報は、自車両が向かう最終の目的地に関する情報である。位置情報取得部１３は、取得した現在地情報及び目的地情報を走行可能範囲取得部１５に出力する。
【００２７】
走行可能距離算出部１４は、残量情報取得部１２から出力されたエネルギー残量情報に基づいて、走行可能距離を算出する機能を有している。例えば、残量情報取得部１２から出力されたエネルギー残量情報が５Ｌであり、消費情報記憶部１１から取得した自車両のエネルギー消費情報が２０ｋｍ／Ｌであった場合、走行可能距離算出部１４は、走行可能距離を１００ｋｍと算出する。走行可能距離算出部１４は、算出した走行可能距離を走行可能範囲取得部１５に出力する。
【００２８】
走行可能範囲取得部１５は、位置情報取得部１３から出力された現在地情報及び目的地情報、並びに、走行可能距離算出部１４から出力された走行可能距離に基づいて、経由可能地に関する情報を取得し、取得した当該経由可能地に関する情報に基づいて走行可能範囲を取得する機能を有している。走行可能範囲取得部１５は、位置情報取得部１３から現在地情報及び目的地情報が、走行可能距離算出部１４から走行可能距離がそれぞれ出力されると、消費情報記憶部１１に格納された地図情報データベースに基づいて、自車両のエネルギー残量で現在地から目的地まで向かう際に経由可能な場所である経由可能地に関する情報を取得する。次いで、取得した当該経由可能地に関する情報を地図上にプロットし、全ての経由可能地が含まれるように外側に位置する経由可能地を線で結ぶことで走行可能範囲を取得する。すなわち、経由可能地以外の走行可能範囲の外周上の場所は、周辺の経由可能地から近似的に表示されることになる。
【００２９】
表示装置６は、ＧＰＳ装置４で取得した自車両の位置情報などを画面に表示させる機能を有している。表示装置６は、自車両の位置情報を消費情報記憶部１１が保持している地図情報と統合させて、地図上に現在地及び目的地を表示する。また、表示装置６は、走行可能範囲取得部１５から出力された走行可能範囲に関する情報を地図に重畳表示する機能を有している。
【００３０】
次に、第１実施形態に係る情報提供装置１０の動作について説明する。図２は、情報提供装置１０における処理手順を示すフローチャートである。図２に示すように、第１実施形態に係る情報提供装置１０においては、最初に、残量情報取得部１２が残量エネルギーセンサ３から自車両のエネルギー残量情報を取得し、走行可能距離算出部１４に出力する（Ｓ１０）。次に、位置情報取得部１３が、現在地情報をＧＰＳ装置４から取得するとともに、目的地情報を入力装置５から取得し、現在地情報及び目的地情報を走行可能範囲取得部１５に出力する（Ｓ１１）。
【００３１】
続いて、走行可能距離算出部１４が、残量情報取得部１２から出力されたエネルギー残量情報に基づいて、走行可能距離を算出し、走行可能範囲取得部１５に出力する（Ｓ１２）。次いで、走行可能範囲取得部１５が、位置情報取得部１３から出力された現在地情報及び目的地情報、並びに、走行可能距離算出部１４から出力された走行可能距離に基づいて、経由可能地に関する情報を取得する（Ｓ１３）。また、走行可能範囲取得部１５は、取得した当該経由可能地に関する情報に基づいて走行可能範囲を取得し、取得した走行可能範囲を表示装置６に出力する（Ｓ１４）。そして最後に、表示装置６は、走行可能範囲取得部１５から出力された走行可能範囲を表示する（Ｓ１５）。
【００３２】
ここで、ステップＳ１４で算出される走行可能範囲について説明する。図３は、第１実施形態に係る情報提供装置１０によって表示される走行可能範囲Ｃの表示例である。図３に示すように、表示装置６は、走行可能範囲取得部１５から走行可能範囲の情報が出力されると、現在地から目的地までの走行可能範囲Ｃを現在地Ｓ及び目的地Ｇとともに、表示画面６Ａに表示された地図情報に重畳して表示する。経由可能地は、図３中には図示されていないが走行可能範囲Ｃ内に含まれている。また、図３の表示例では、現在地Ｓが矢印、目的地Ｇが「Ｇ」で、それぞれ表示されている。走行可能範囲Ｃは、エネルギー残量が多いほど広く、エネルギー残量が少ないほど狭い。また、エネルギー残量が変化した場合に走行可能範囲Ｃの表示を更新させると、走行可能範囲Ｃの大きさが変化する。例えば、エネルギー補給地等でエネルギーを補給した場合に走行可能範囲Ｃを更新させると、走行可能範囲Ｃは拡大する。一方、寄り道などをして自車両のエネルギーを余計に消費した場合に走行可能範囲Ｃを更新させると、走行可能範囲Ｃは縮小する。
【００３３】
以上説明したように、第１実施形態の情報提供装置１０は、自車両のエネルギー残量で経由可能な場所である経由可能地に関する情報を取得し、取得した当該経由可能地に関する情報に基づいて走行可能範囲Ｃを取得する。このため、走行可能範囲Ｃは、図３に示されるように、現在地Ｓと目的地Ｇとを単に結んだような形状ではなく、現在地Ｓ及び目的地Ｇの周囲にある程度広がった形状となる。よって、ユーザは、現在地や目的地から大きく外れる場所を自由に経由しながら目的地に向かう場合であっても、目的地まで走行可能であるかについて、煩雑な計算することなく一目で把握することができる。
【００３４】
（第２実施形態）
本発明の好適な実施形態である第２実施形態について説明する。第２実施形態に係る情報提供装置１０が第１実施形態に係る情報提供装置１０と異なる点は、以下の点である。すなわち、第１実施形態に係る情報提供装置１０では、位置情報取得部１３が現在地情報及び目的地情報を取得する機能を有し、走行可能範囲取得部１５が現在地情報及び目的地情報、並びに、走行可能距離算出部１４から出力された走行可能距離に基づいて経由可能地を取得し、取得した当該経由可能地に基づいて走行可能範囲を表示する。これに対し、第２実施形態に係る情報提供装置１０では、位置情報取得部１３が現在地情報、目的地情報及び経由地情報を取得する機能を有し、走行可能範囲取得部１５が現在地情報、目的地情報及び経由地情報、並びに、走行可能距離算出部１４から出力された走行可能距離に基づいて経由可能地に関する情報を取得し、取得した当該経由可能地に関する情報に基づいて走行可能範囲を表示する。
【００３５】
第２実施形態に係る情報提供装置１０は、第１実施形態に係る情報提供装置１０と構成は同じであるが、位置情報取得部１３、走行可能距離算出部１４、走行可能範囲取得部１５及び表示装置６の機能が異なる。以下、第１実施形態に係る情報提供装置１０と異なる点を中心に説明する。
【００３６】
位置情報取得部１３は、現在地情報、目的地情報及び経由地情報を取得する機能を有している。現在地情報とは、自車両の現在地に関する情報であり、ＧＰＳ装置４から取得される。目的地情報は、自車両が向かう最終の目的地に関する情報である。また、経由地情報とは、目的地に向かう途中の経由地に関する情報であり、経由地としては、ガソリンスタンドや充電ステーションなどの自車両のエネルギー補給地が含まれる。経由地情報は、ユーザによって目的地情報と共に、入力装置５に入力され後、入力装置５から取得される。位置情報取得部１３は、取得した現在地情報、目的地情報及び経由地情報を走行可能範囲取得部１５に出力する。
【００３７】
また、位置情報取得部１３は、経由地情報としてエネルギー補給地の位置情報を取得した場合、経由地情報としてエネルギー補給地が出力されたことを示す補給地情報を走行可能距離算出部１４に出力する。
【００３８】
走行可能距離算出部１４は、残量情報取得部１２から出力されたエネルギー残量情報に基づいて、走行可能距離を算出する機能を有している。例えば、残量情報取得部１２から出力されたエネルギー残量情報が５Ｌであり、消費情報記憶部１１から取得した自車両のエネルギー消費情報が２０ｋｍ／Ｌであった場合、走行可能距離算出部１４は、走行可能距離を１００ｋｍと算出する走行可能距離算出部１４は、算出した走行可能距離を走行可能範囲取得部１５に出力する。
【００３９】
なお、走行可能距離算出部１４は、位置情報取得部１３から補給地情報が出力された場合、現在地とエネルギー補給地との間の走行で全エネルギーを消費するような走行可能距離を算出する。走行可能距離算出部１４は、このように算出した走行可能距離を走行可能範囲取得部１５に出力する。
【００４０】
走行可能範囲取得部１５は、位置情報取得部１３から出力された現在地情報、目的地情報及び経由地情報、並びに、走行可能距離算出部１４から出力された走行可能距離に基づいて経由可能地に関する情報を取得し、取得した当該経由可能地に関する情報に基づいて走行可能範囲を取得する機能を有している。走行可能範囲取得部１５は、位置情報取得部１３から現在地情報、目的地情報及び経由地情報が、走行可能距離算出部１４から走行可能距離がそれぞれ出力されると、消費情報記憶部１１に格納された地図情報データベースに基づいて、自車両のエネルギー残量で現在地から経由地を経由し目的地まで向かう際に経由可能な場所である経由可能地に関する情報を取得する。次いで、取得した当該経由可能地に関する情報を地図上にプロットし、全ての経由可能地が含まれるように外側に位置する経由可能地を線で結ぶことで走行可能範囲を取得する。すなわち、経由可能地以外の走行可能範囲の外周上の場所は、周辺の経由可能地から近似的に表示されることになる。
【００４１】
なお、走行可能範囲取得部１５は、走行可能距離算出部１４が、現在地とエネルギー補給地との間の走行で全エネルギーを消費するような走行可能距離を算出した場合は、現在地情報及びエネルギー補給地の位置情報と、当該走行可能距離に基づいて、自車両のエネルギー残量で現在地からエネルギー補給地まで向かう際に経由可能な範囲である経由可能地に関する情報を取得する。そして、取得した経由可能地に関する情報に基づいて走行可能範囲を取得する。走行可能範囲取得部１５は、このように算出した走行可能範囲の情報を表示装置６に出力する。
【００４２】
表示装置６は、ＧＰＳ装置４で取得した自車両の位置情報などを画面に表示させる機能を有している。表示装置６は、自車両の位置情報を消費情報記憶部１１が保持している地図情報と統合させて、地図上に現在地、経由地及び目的地を表示する。また、表示装置６は、走行可能範囲取得部１５から出力された走行可能範囲に関する情報を地図に重畳表示する機能を有している。
【００４３】
次に、図２を用いて第２実施形態に係る情報提供装置１０の動作について説明する。第２実施形態に係る情報提供装置１０においては、第１実施形態に係る情報提供装置１０と同様に、最初に、残量情報取得部１２が残量エネルギーセンサ３から自車両のエネルギー残量情報を取得し、走行可能距離算出部１４に出力する（Ｓ１０）。次に、位置情報取得部１３が、現在地情報をＧＰＳ装置４から取得するとともに、目的地情報及び経由地情報を入力装置５から取得し、現在地情報、目的地情報及び経由地情報を走行可能範囲取得部１５に出力する（Ｓ１１）。
【００４４】
続いて、走行可能距離算出部１４が、残量情報取得部１２から出力されたエネルギー残量情報に基づいて、走行可能距離を算出し、走行可能範囲取得部１５に出力する（Ｓ１２）。次いで、走行可能範囲取得部１５が、位置情報取得部１３から出力された現在地情報、目的地情報及び経由地情報、並びに、走行可能距離算出部１４から出力された走行可能距離に基づいて経由可能地に関する情報を取得する（Ｓ１３）。また、走行可能範囲取得部１５は、取得した当該経由可能地に関する情報に基づいて走行可能範囲を取得し、取得した走行可能範囲を表示装置６に出力する（Ｓ１４）。そして最後に、表示装置６は、走行可能範囲取得部１５から出力された走行可能範囲を表示する（Ｓ１５）。
【００４５】
ここで、ステップＳ１４で取得される走行可能範囲について説明する。図４は、第２実施形態に係る情報提供装置１０によって表示される走行可能範囲の表示例である。図４に示すように、表示装置６は、走行可能範囲取得部１５から走行可能範囲の情報が出力されると、現在地から目的地までの走行可能範囲Ｃを現在地Ｓ、及び目的地Ｇ、第１の経由地Ｂ１及び第２の経由地Ｂ２とともに、表示画面６Ｂに表示された地図情報に重畳して表示する。図２の表示例では、現在地Ｓが矢印、目的地Ｇが「Ｇ」、第１の経由地Ｂ１が「１」、第２の経由地Ｂ２が「２」で、それぞれ表示されている。
【００４６】
また、第２実施形態において、表示装置６は、自車両が走行して各経由地を通過した後、経由地を通過する前の走行可能範囲と経由地を通過した後の走行可能範囲とを色分けて表示する。図５は、第２実施形態に係る情報提供装置１０によって表示される走行可能範囲の別の表示例である。図５に示すように、表示装置６は、表示画面６Ｃに表示された地図情報に、現在地から経由地Ｂ１までの走行可能範囲Ｃ１と、経由地Ｂ１から経由地Ｂ２までの走行可能範囲Ｃ２と、経由地Ｂ２から目的地までの走行可能範囲Ｃ３と、を重畳して表示する。そして、自車両が経由地Ｂ１を通過した後は、走行可能範囲Ｃ１と、走行可能範囲Ｃ２とを色分けして表示する。さらに、自車両が経由地Ｂ２を通過した後は、走行可能範囲Ｃ２と走行可能範囲Ｃ３とを色分けて表示する。また、走行可能範囲Ｃは、現在地Ｓ、経由地Ｂ１、経由地Ｂ２、及び目的地Ｇを点配列と捉えて表示される。このため、図５に示すように、現在地Ｓと目的地Ｇとを単に結んだような形状にならず、隣り合う各点が含まれるように囲まれた走行可能範囲Ｃ１,Ｃ２,Ｃ３を重ね合わせたような形状となる。
【００４７】
なお、位置情報取得部１３が、現在地情報、目的地情報及び経由地情報を取得した際に、経由地がエネルギー補給地であった場合、走行可能距離算出部１４は、現在地とエネルギー補給地との間の走行で全エネルギーを消費するような走行可能距離を算出する（Ｓ１２）。続いて、走行可能範囲取得部１５が、その走行可能距離に基づいて、現在地からエネルギー補給地までの経由可能地に関する情報を取得する（Ｓ１３）。また、走行可能範囲取得部１５は、取得した当該経由可能地に関する情報に基づいて走行可能範囲を取得し、取得した現在地からエネルギー補給地までの走行可能範囲を表示装置６に出力する（Ｓ１４）。そして最後に、表示装置６が、現在地からエネルギー補給地までの走行可能範囲を表示する（Ｓ１５）。
【００４８】
以上説明したように、第２実施形態に係る情報提供装置１０は、現在地情報、目的地情報及び経由地情報、並びに、自車両の走行可能距離に基づいて経由可能地に関する情報を取得し、取得した当該経由可能地に関する情報に基づいて走行可能範囲Ｃを表示する。情報提供装置１０は、走行可能範囲を表示するにあたり、経由地情報も考慮し、現在地Ｓ、経由地Ｂ１、経由地Ｂ２及び目的地Ｇを点列として捉えている。このため、走行可能範囲Ｃは、現在地Ｓと目的地Ｇとを単に結んだような形状ではなく、現在地Ｓ、経由地Ｂ１、経由地Ｂ２及び目的地Ｇの点列からなる各エリア（走行可能範囲Ｃ１,Ｃ２,Ｃ３）が重ね合わさったような形状となる。このため、ユーザが実際に経由する経由地の周囲に広がって走行可能範囲Ｃが表示されるので、ユーザが実際に経由する可能性の高い場所を経由して目的地まで走行可能であるかについて、煩雑な計算することなく一目で把握することができる。
【００４９】
特に、第２実施形態に係る情報提供装置１０において、表示装置６は、経由地を通過する前の走行可能範囲と経由地を通過した後の走行可能範囲とを色分けて表示する。この場合、ユーザは経由地の通過前後のどちらの走行可能範囲であるかを識別できる。
【００５０】
また、第２実施形態に係る情報提供装置１０において、経由地がエネルギー補給地である場合、走行可能距離算出部１４は、現在地と当該経由地との間の走行で全エネルギーを消費するような走行可能距離を取得する。この場合、現在地から目的地までの走行で全エネルギーを消費するような走行可能距離を取得したした際と比較して、現在地とエネルギー補給地との間の走行可能範囲を広く設定することができる。このため、ユーザは現在地や経由地から更に大きく外れる場所を経由して走行可能であるかを一目で把握することができる。
【００５１】
以上、本発明のその実施形態に基づいて詳細に説明した。しかし、本発明は上記実施形態に限定されるものではない。本発明は、その要旨を逸脱しない範囲で以下のような様々な変形が可能である。
【００５２】
例えば、第２実施形態では、経由地がエネルギー補給地である場合、走行可能距離算出部１４は、現在地と当該経由地との間の走行で全エネルギーを消費するような走行可能距離を算出したが、走行可能距離算出部１４は、現在地とエネルギー補給地との間の走行で全エネルギーではなく、所定のエネルギーを消費するような走行可能距離を算出することもできる。この場合、目的地までエネルギーを残すことを前提に算出した走行可能範囲よりも、走行可能範囲を広く表示することができる。また、エネルギー補給地で補給する分だけエネルギーを消費するような走行可能範囲にするなど、エネルギー補給地での所望のエネルギー残量に合わせて走行可能範囲の広さを柔軟に変えることもできる。
【符号の説明】
【００５３】
１…情報提供ＥＣＵ、６…表示装置、１０…情報提供装置、１１…消費情報記憶部、１２…残量情報取得部、１３…位置情報取得部、１４…走行可能距離算出部、１５…走行可能範囲取得部、Ｃ…走行可能範囲。
【図１】
0005879900.tif 000002
【図２】
0005879900.tif 000003
【図３】
0005879900.tif 000004
【図４】
0005879900.tif 000005
【図５】
0005879900.tif 000006